(57)【要約】【課題】携帯電話利用者にとって使い勝手の良い携帯電話システムを提供する。【解決手段】携帯電話と、該携帯電話から送信された音声信号を無線にて受信するヘッドセットと、前記携帯電話に着信があった際にその旨を利用者に報知するとともに、携帯電話のオンフック及びオフフックの指令を前記携帯電話に送信する腕情報機器とで構成される。このように構成することにより、携帯電話に着信があった際には、腕情報機器にその旨が利用者に報知されるとともに、腕情報機器によって携帯電話のオンフック及びオフフックを行うことができるため、携帯電話を鞄やポケット等から取り出すことなく、ヘッドセットを使って会話をすることが可能となり、携帯電話の利用者にとって非常に使い勝手の良い携帯電話システムとすることが可能となる。【選択図】      図１
2004201081.tif 000002
【特許請求の範囲】
【請求項１】
携帯電話と、該携帯電話から送信された音声信号を無線にて受信するヘッドセットと、前記携帯電話に着信があった際にその旨を利用者に報知するとともに、携帯電話のオンフック及びオフフックの指令を前記携帯電話に送信する腕情報機器とで構成されることを特徴とする携帯電話システム。
【請求項２】
前記腕情報機器は、携帯電話のオンフック及びオフフックの指令を前記携帯電話に送信すると共に、前記ヘッドセットに通話開始指令及び通話終了指令を送信し、前記ヘッドセットの通話開始処理と通話終了処理を行わせることを特徴とする請求項１に記載の携帯電話システム。
【請求項３】
前記ヘッドセットは音声処理部を有し、前記ヘッドセットに対する前記通話開始処理は前記音声処理部のミュート解除であり、前記ヘッドセットに対する前記通話終了処理は音声処理部のミュート実行であることを特徴とする請求項１に記載の携帯電話システム。
【請求項４】
前記腕情報機器は利用者の腕の動作を検出することにより、オンフック及びオフフックの指令を携帯電話に送信することを特徴とする請求項１乃至請求項３に記載の携帯電話システム。
【請求項５】
前記腕情報機器は利用者の腕の動作を検出することにより、オンフック及びオフフックの指令を携帯電話に送信すると共に、前記ヘッドセットに通話開始指令及び通話終了指令を送信することを特徴とする請求項２乃至請求項３に記載の携帯電話システム。
【請求項６】
前記腕情報機器は加速度センサーによって利用者の腕の動作を検出することを特徴とする請求項４乃至請求項５に記載の携帯電話システム。
【請求項７】
前記腕情報機器は傾斜センサーによって利用者の腕の動作を検出することを特徴とする請求項４乃至請求項５に記載の携帯電話システム。
【発明の詳細な説明】
【０００１】
【発明の属する技術分野】
本発明は、ヘッドセットにて携帯電話の通話が可能な携帯電話システムに関する。
【０００２】
【従来の技術】
従来、携帯電話とヘッドセットを使用して、ハンズフリーで携帯電話を使用することが行われている（例えば特許文献１参照）。
【０００３】
【特許文献１】
特開２００２−１１８６３５号公報（第２−３頁、第１図）
【０００４】
【発明が解決しようとする課題】
しかし、このような従来の携帯電話システムにおいて他の電話からの着信に応答する場合、携帯電話を鞄、あるいはポケット等から取り出して、オフフックボタンを押す等の操作をしなければならなかった。したがって、携帯電話利用者にとって必ずしも使い勝手の良いものではなかった。
【０００５】
本発明の目的は、このような従来技術の課題を解決し、携帯電話利用者にとって使い勝手の良い携帯電話システムを提供することにある。
【０００６】
【課題を解決するための手段】
上記目的を達成するため、本発明に係る携帯電話システムは、携帯電話と、該携帯電話から送信された音声信号を無線にて受信するヘッドセットと、前記携帯電話に着信があった際にその旨を利用者に報知するとともに、携帯電話のオンフック及びオフフックの指令を前記携帯電話に送信する腕情報機器とで構成されることを特徴とする。
【０００７】
上記の構成により、携帯電話に着信があった際には、腕情報機器にその旨が利用者に報知されるとともに、腕情報機器によって携帯電話のオンフック及びオフフックを行うことができるため、携帯電話を鞄やポケット等から取り出すことなく、ヘッドセットを使って会話をすることが可能となり、携帯電話の利用者にとって非常に使い勝手の良い携帯電話システムとすることが可能となる。
【０００８】
また、前記腕情報機器は、携帯電話のオンフック及びオフフックの指令を前記携帯電話に送信すると共に、前記ヘッドセットに通話開始指令及び通話終了指令を送信し、前記ヘッドセットの通話開始処理と通話終了処理を行わせることを特徴とする。
【０００９】
上記構成によれば、腕情報機器は携帯電話のオンフック及びオフフックの指令を携帯電話に送信するだけでなく、ヘッドセットに対しても通話開始処理と通話終了処理の制御ができるため、ヘッドセットを常時電源ＯＮ状態にする必要がなくなり、通話のない時はスタンバイ状態としてヘッドセットの電源の長寿命化を図ることができる。
【００１０】
また、前記ヘッドセットは音声処理部を有し、前記ヘッドセットに対する前記通話開始処理は前記音声処理部のミュート解除であり、前記ヘッドセットに対する前記通話終了処理は音声処理部のミュート実行であることを特徴とする。
【００１１】
上記構成によれば、ヘッドセットの音声処理部に対しミュート解除とミュート実行の制御ができるため、待ち受け時には使用しないスピーカやマイク等の音声装置へ電力を遮断できるため、ヘッドセットの電源の長寿命化をさらに図ることができる。
【００１２】
また、前記腕情報機器は利用者の腕の動作を検出することにより、オンフック及びオフフックの指令を携帯電話に送信することを特徴とする。
【００１３】
上記構成によれば、動作を検出するだけでオンフック及びオフフックの指令を携帯電話に送信することが可能となり、携帯電話を鞄やポケット等から取り出すことなく、ヘッドセットを使って会話をすることが可能となる。
【００１４】
また、前記腕情報機器は利用者の腕の動作を検出することにより、オンフック及びオフフックの指令を携帯電話に送信すると共に、前記ヘッドセットに通話開始指令及び通話終了指令を送信ことを特徴とする。
【００１５】
上記構成によれば、動作を検出するだけでオンフック及びオフフックの指令を携帯電話に送信することが可能となり、携帯電話を鞄やポケット等から取り出すことなく、ヘッドセットを使って会話をすることが可能となる。また、ヘッドセットに対しても通話開始処理と通話終了処理の制御ができるため、ヘッドセットを常時電源ＯＮ状態にする必要がなくなり、通話のない時はスタンバイ状態としてヘッドセットの電源の長寿命化を図ることができる。
【００１６】
また、前記腕情報機器は加速度センサーによって利用者の腕の動作を検出することを特徴とする。
【００１７】
上記構成によれば、加速度センサーによって利用者の腕の動作を電気信号として簡単に取り出すことができるため、腕携帯機器の小型化、構成の簡便化を図ることが可能で、携帯電話を鞄やポケット等から取り出すことなく、ヘッドセットを使って会話をすることが可能となる。
【００１８】
また、前記腕情報機器は傾斜センサーによって利用者の腕の動作を検出することを特徴とする。
【００１９】
上記構成によれば、傾斜センサーによって利用者の腕の動作を電気信号として簡単に取り出すことができるため、腕携帯機器の小型化、構成の簡便化を図ることが可能で、携帯電話を鞄やポケット等から取り出すことなく、ヘッドセットを使って会話をすることが可能となる。
【００２０】
【発明の実施の形態】
以下、図面を用いて本発明の実施形態について説明する。
【００２１】
図１に本実施形態における携帯電話システムの全体の構成を示す。携帯電話システム使用者は、携帯電話１（通信アダプタ１１が装着されている）、ヘッドセット２、腕情報機器３を保持している。
５は携帯電話１を収容する基地局、６は携帯電話４を収容する基地局で各々携帯電話の交換網７に接続され、携帯電話１と携帯電話４は、基地局５、交換網７、及び基地局６を介して通信することができる。固定電話９は公衆回線網８に接続され、固定電話９と携帯電話１は、公衆回線網８、携帯電話の交換網７、及び基地局５を介して通信することができる。
【００２２】
図２は、本実施形態における携帯電話システムの使用状態の一実施例を示す図である。
【００２３】
使用者２０は、図２に示すように携帯電話１を鞄３０に入れ、ヘッドセット２を頭２１に、腕情報機器３を腕２２にそれぞれ装着している。ヘッドセット２、腕情報機器３は、携帯電話１と通信を行なう。この際に、携帯電話１の汎用外部コネクタに接続された通信アダプタ１１を用いてヘッドセット２、腕情報機器３各々と通信を行なう。
【００２４】
次に、腕情報機器３の構成について図３を用いて説明する。図３は腕情報機器３内部の構成を示すブロック図である。
【００２５】
３０１は、携帯電話１との間で短距離無線通信を行なうアンテナである。短距離無線通信方式としては、例えば、Bluetooth、スペクトラム拡散方式の微弱電波等を用いることができる。
【００２６】
３０２は、携帯電話１との送受信時に、アンテナ３０１より受信した変調波に周波数変換等を施し受信変調波として変調復調部３０３へ出力するとともに、変調復調部３０３より供給される送信変調波を無線周波数に変換しアンテナ３０１に出力する無線部である。
【００２７】
３０３は、ＣＰＵ３０７より供給される搬送波に変調処理を施すとともに、無線部３０２より供給される受信変調波に復調処理を施す変調復調部である。３０４は、ＣＰＵからの指令に応じて腕情報機器３に振動を発生し、携帯システム利用者に着信があった旨を報知する振動発生部である。３０５は、ＣＰＵ３０７の制御に応じて、携帯電話１に着信があったときにその旨を表示したり、図示しない計時部から出力される時刻情報を表示する表示部である。
【００２８】
３０６は、携帯電話システム利用者が腕情報機器３に所定の動作を行なったときにそのときの加速度を検出する加速度センサーである。例えば、腕情報機器３を装着した腕を回転運動させた場合に、その回転運動に伴う加速度を検出し、ＣＰＵ３０７に検出信号を出力する。また、加速度センサーや傾斜センサーを用いて重力加速度を検出して腕情報機器３の傾き状態、すなわちどのくらい傾いているか、どの方向に傾いているか等を検出してもよい。加速度センサーや傾斜センサーを用いることにより、利用者の腕の動作を電気信号として簡単に取り出すことができるため、腕携帯機器の小型化、構成の簡便化を図ることが可能である。
【００２９】
３０８は、腕情報機器３に指令を入力する操作部であり、ボタン、リューズ等よりなる。３０７は、腕情報機器３各部の動作を制御するＣＰＵであり、ＲＯＭ３０９の中のプログラムにしたがって処理を行なう。３１０は、ＣＰＵ３０７の処理の途中で生じるデータを一時的に保存するＲＡＭである。
【００３０】
次に、携帯電話１及び通信アダプタ１１の構成について図４を用いて説明する。図４は携帯電話１及び通信アダプタ１１の内部の構成を示すブロック図である。
通信アダプタ１１は、アンテナ４０１、無線部４０２、変調復調部４０３、インターフェース４０４、ＣＰＵ４０５、ＲＯＭ４０６、ＲＡＭ４０７より構成される。
４０１は、ヘッドセット２及び腕情報機器３との間で短距離無線通信を行なうアンテナである。
【００３１】
４０２は、ヘッドセット２及び腕情報機器３との送受信時に、受信した変調波に周波数変換等を施し受信変調波として変調復調部４０３へ出力するとともに、送信変調波を無線周波数に変換しアンテナ４０１に出力する無線部である。
【００３２】
４０３は、搬送波に変調処理を施すとともに、受信変調波に復調処理を施す変調復調部である。４０４は、携帯電話１の汎用外部コネクタを通じて、携帯電話１と通信アダプタ１１間でデータのやり取りを行なう際にフォーマット変換等を行なうインターフェースである。
【００３３】
４０５は、通信アダプタ１１各部の動作を制御するＣＰＵであり、ＲＯＭ４０６の中の動作プログラムにしたがって処理を行なう。４０７は、ＣＰＵ４０５の処理の途中で生じるデータを一時的に保存するＲＡＭである。このインターフェース４０４は携帯電話１の汎用外部コネクタ１２に接続されている。携帯電話１及び汎用外部コネクタ１２については既に公知であるので詳細な説明を省略する。
【００３４】
次に、ヘッドセット２の構成について図５を用いて説明する。図５はヘッドセットの内部の構成を示すブロック図である。５０１は、通信アダプタ１１との間で無線通信を行なうアンテナであり、無線通信方式としては、Ｂｌｕｅｔｏｏｔｈやスペクトラム拡散方式の微弱無線等を用いることができる。スペクトラム拡散方式の通信方式を用いれば盗聴などの危険を回避でき秘匿性の高いデータ通信を行なうことができる。
【００３５】
５０２は、受信した変調波に周波数変換等を施し受信変調波として変調復調部５０３へ出力するとともに、送信変調波を無線周波数に変換しアンテナ５０１に出力する無線部である。５０３は、搬送波にＰＳＫ変調、スペクトラム拡散変調等の変調処理を施すとともに、受信変調波にスペクトラム逆拡散、ＰＳＫ復調等の復調処理を施す変調復調部である。
５０４はＣＰＵであり、受信データを解釈し、受信データ中に通話を開始する指令があれば、音声処理部５０５に対して通話開始処理を行ない、通話を終了する指令があれば、通話終了処理を行なう。更に、ＣＰＵ５０４は、受信データ中の音声データを音声処理部５０５に供給したり、音声処理部５０５からの送信データを変調復調部５０３に供給する。
通話開始処理としては、例えば、音声処理部５０５に対してミュート解除を行なう。すなわち、音声処理部５０５を介して、受信データ中の音声データをスピーカアンプ５０６に出力したり、マイクアンプ５０８からの音声信号をＣＰＵ５０４に出力することが可能な状態にする。また、通話開始処理として、待ち受け時には使用しない装置（例えば音声処理部５０５）に対して電力の供給を開始するようにしてもよい。
通話終了処理としては、例えば、音声処理部５０５に対してミュートを行なう。すなわち、音声処理部５０５を介して、受信データ中の音声データをスピーカアンプ５０６に出力したり、マイクアンプ５０８からの音声信号をＣＰＵ５０４に出力することを禁止する状態にする。また、通話終了処理として、音声処理部５０５等待ち受け時には使用しない装置に対して電力を遮断するようにして消費電力を削減してもよい。
【００３６】
５０５は、受信データをアナログの受信音声信号に変換するとともに、送信する音声信号をデジタルの送信データに変換する音声処理部である。５０６は、受信音声信号によりスピーカ５０７を駆動するために受信音声信号を増幅するスピーカアンプである。５０８は、マイク５０９から入力された音声信号を音声処理部５０５に必要な振幅になるように増幅するマイクアンプである。
【００３７】
次に、このように構成された携帯電話システムの動作について図６を用いて説明する。
【００３８】
図6は、携帯電話４または固定電話９（以下発信元の電話と称する）から携帯電話１へ着信があった場合の動作を示している。
【００３９】
まず、発信元の電話から携帯電話１へ着信があった場合（Ｓ６０１）、携帯電話１は、装着されている通信アダプタ１１を介して腕情報機器３に着信があった旨を送信する（Ｓ６０２）。腕情報機器３は、着信があった旨を受信したら、その旨を表示部３０５に表示するとともに、振動発生部３０４に振動を発生させ、着信があったことを携帯電話システム利用者に伝える（Ｓ６０３）。
【００４０】
例えば、発番号が分かれば、あらかじめ登録してある電話番号と名前のテーブルから発信者の名前を引いてきて発番号と名前を表示することができる。次に携帯電話１は加速度センサー３０６からの情報を読み取ることにより、腕情報機器３が回転運動等の所定の運動を行なったかを検出する（Ｓ６０４）。または加速度センサーや傾斜センサーにより腕情報機器３の傾き状態を検出してもよい。
【００４１】
例えば、腕情報機器３を装着した腕が一方向に回転されることにより、加速度センサー３０６がこの動きを検出する。または、加速センサーや傾斜センサーを用いて、一つの軸方向に所定角度以上腕情報機器３が傾いたことを検出してもよい。
【００４２】
そして、腕情報機器３はこのような所定の動きや状態を検出し、これを携帯電話のオフフックのトリガーとして認識し、携帯電話１にオフフックの指令を送信する（Ｓ６０５）。また、ヘッドセット２を介して通話が可能になるように、ヘッドセット２に通話を開始する指令を送信する（Ｓ６０９）。
【００４３】
携帯電話１はオフフックの指令を受信し、オフフックの処理を行なう（Ｓ６０６）。
【００４４】
ヘッドセット２は通話を開始する指令を受信し、前述した通話開始処理を行なう（Ｓ６１０）。
【００４５】
これによって、発信元の電話と発信先である携帯電話１とが電話回線を通じて接続され、通話状態となる（Ｓ６０７）。通話が終了したときは（Ｓ６０８）、Ｓ６０４と同様に、携帯電話１は、加速度センサー３０６からの情報を読み取ることにより、腕情報機器３が回転運動等の所定の運動を行なったかを検出する。または加速度センサーや傾斜センサーにより腕情報機器３の傾き状態を検出してもよい。
【００４６】
例えばオフフック指令のトリガーとなった腕の一方向の回転とは逆の方向の回転を検出することにより、加速度センサー３０６がこの動きを検出する。または、加速度センサーや傾斜センサーにより、オフフック指令のトリガーとなった軸方向とは異なる方向に所定角度以上腕情報機器３が傾いたことを検出してもよい。
【００４７】
次に腕情報機器３はこのような所定の動きを検出し、これを携帯電話のオンフックのトリガーとして認識し、携帯電話１にオンフックの指令を送信する（Ｓ６１２）。
【００４８】
また、情報機器３は、このような所定の動きや状態を検出したとき、ヘッドセット２に対して通話を終了する指令を送信する（Ｓ６１５）。
【００４９】
携帯電話１はオンフック指令に基づき、オンフック処理を行い（Ｓ６１３）、発信元の電話と発信先である携帯電話１との電話回線が切断される。Ｓ６０４、Ｓ６１１のように、携帯電話システム利用者の腕に装着された腕情報機器３の加速度を検出して携帯電話のオンフック、オフフックのトリガーとすることにより、携帯電話システム利用者の両手がふさがってオンフック、オフフック専用のボタンが押せない状態であっても、腕に装着された腕情報機器３に回転等の所定の運動を行なわせれば、携帯電話にでることができ、通話が終了すれば電話回線を切断することができる。
【００５０】
また、ヘッドセット２は通話終了指令に基づき、前述した通話終了処理を行なう（Ｓ６１５）。
【００５１】
なお、Ｓ６０４、Ｓ６１１では、加速度センサーや傾斜センサーからの情報に基づいてオンフック、オフフックのトリガーを得たが、利用者の所定の動作、または情報機器３の傾き状態を検出できるものならこれに限定されない。また、腕情報機器３の操作部３０８にオフフックスイッチ、オンフックスイッチを設けてこれらを押すことによりオンフック、オフフックのトリガーとしてもよい。
【００５２】
ここで、Ｓ６０７の通話中における携帯電話１の通話者の音声は、頭部に装着されたヘッドセット２に入力され、順に、マイク５０９、マイクアンプ５０８、音声処理部５０５、ＣＰＵ５０４、変調復調部５０３、無線部５０２、アンテナ５０１を通じて、携帯電話１に装着されている通信アダプタ部１１へ無線にて送信される。続いて通信アダプタ部１１では、順に、アンテナ４０１、無線部４０２、変調復調部４０３、インターフェース４０４を通じて、汎用外部コネクタ１２から携帯電話１に送信される。
【００５３】
携帯電話１では受信した音声データを無線の電話回線にて発信元の電話に送信する。
【００５４】
また、Ｓ６０７の通話中における発信元の電話の通話者の音声は、携帯電話１にて受信され、外部コネクタ１２を介してヘッドセット１１に送信され、順に、インターフェース４０４、変調復調部４０３、無線部４０２、アンテナ４０１を通じてヘッドセット２へ送信される。続いてヘッドセット２では、順に、アンテナ５０１、無線部５０２、変調復調部５０３、ＣＰＵ５０４、音声処理部５０５、スピーカアンプ５０６、スピーカ５０７を通り、ヘッドセット２を装着した使用者の耳に入る。このようにしてヘッドセット２を装着した携帯電話システム利用者と発信元の電話の通話者との音声のやり取りが可能となる。
【００５５】
【発明の効果】
本発明に係る携帯電話システムによれば、携帯電話に着信があったときに、携帯電話を鞄、ポケット等から取り出すことなく、通話を開始することができるとともに通話を終了することができ、携帯電話利用者にとって使い勝手の良いものとなる。
【図面の簡単な説明】
【図１】本発明の実施形態に係る携帯電話システムの全体の構成を示す図である。
【図２】本発明の実施形態に係る携帯電話システム使用状態を示す図である。
【図３】本発明の実施形態に係る携帯電話システムの腕情報機器の内部構成を示す図である。
【図４】本発明の実施形態に係る携帯電話システムの携帯電話及び通信アダプタの内部構成を示す図である。
【図５】本発明の実施形態に係る携帯電話システムのヘッドセットの内部構成を示す図である。
【図６】本発明の実施形態に係る携帯電話システムの動作を示す図である。
【符号の説明】
１      携帯電話
２      ヘッドセット
３      腕情報機器
１１    通信アダプタ
１２    外部コネクタ
３０１  アンテナ
３０２  無線部
３０３  変調復調部
３０４  振動発生部
３０５  表示部
３０６  加速度センサー
３０７  ＣＰＵ
３０８  操作部
３０９  ＲＯＭ
３１０  ＲＡＭ
４０１  アンテナ
４０２  無線部
４０３  変調復調部
４０４  インターフェース
４０５  ＣＰＵ
４０６  ＲＯＭ
４０７  ＲＡＭ
５０１  アンテナ
５０２  無線部
５０３  変調復調部
５０４  ＣＰＵ
５０５  音声処理部
５０６  スピーカアンプ
５０７  スピーカ
５０８  マイクアンプ
５０９  マイク
【図１】
2004201081.tif 000003
【図２】
2004201081.tif 000004
【図３】
2004201081.tif 000005
【図４】
2004201081.tif 000006
【図５】
2004201081.tif 000007
【図６】
2004201081.tif 000008